(57)【要約】【課題】変形し難いカードトレイを実現する。【解決手段】カードトレイ（１）における枠状のトレイ本体部（３）は、蓋部（２）に接続された第１延設部（１１）と、第１延設部（１１）と対向配置された第２延設部（１２）とを有し、第２延設部（１２）のうち、第１延設部（１１）と対向する内側面（１２ａ１）とは逆側の外側面（１２ａ２）は、金属材料により構成されている。【選択図】図１
2020024848.tif 000002
【特許請求の範囲】
【請求項１】
電子機器の筐体に挿入するカードを搭載するためのカードトレイであって、
前記筐体への挿入時にフランジとなる蓋部と、
前記蓋部に接続され、前記カードを嵌める枠状のトレイ本体部とを備え、
前記トレイ本体部は、前記蓋部に接続された第１延設部と、当該第１延設部と対向配置された第２延設部とを有し、
前記第２延設部のうち、少なくとも、前記第１延設部と対向する内側面とは逆側の外側面は、金属材料により構成されていることを特徴とするカードトレイ。
【請求項２】
前記第２延設部は、互いに隣接し、樹脂材料により構成されている樹脂延設部と、前記金属材料により構成されている金属延設部とを有することを特徴とする請求項１に記載のカードトレイ。
【請求項３】
前記第２延設部の前記内側面は、前記樹脂延設部によって構成されており、
前記第２延設部の前記外側面は、前記金属延設部によって構成されていることを特徴とする請求項２に記載のカードトレイ。
【請求項４】
前記第２延設部の前記内側面は、前記樹脂延設部及び前記金属延設部によって構成されており、
前記第２延設部の前記外側面は、前記金属延設部によって構成されていることを特徴とする請求項２に記載のカードトレイ。
【請求項５】
前記トレイ本体部のうち、前記カードと接触する部分は、前記枠状に、前記樹脂材料により構成されていることを特徴とする請求項２または３に記載のカードトレイ。
【請求項６】
前記トレイ本体部は、さらに、前記第１延設部及び前記第２延設部それぞれの一方側端部同士を接続する第３延設部と、前記第１延設部及び前記第２延設部それぞれの他方側端部同士を接続する第４延設部とを有し、
前記第３延設部及び前記第４延設部は、それぞれ、前記樹脂材料により構成されていることを特徴とする請求項２〜５の何れか１項に記載のカードトレイ。
【請求項７】
前記トレイ本体部のうち、前記カードと接触する部分は、前記枠状に、前記金属材料により構成されていることを特徴とする請求項１に記載のカードトレイ。
【請求項８】
前記樹脂延設部と前記金属延設部とは、接着剤又は両面テープによって接着されていることを特徴とする請求項２〜６の何れか１項に記載のカードトレイ。
【請求項９】
請求項１〜８の何れか１項に記載のカードトレイを備えていることを特徴とする電子機器。
【発明の詳細な説明】
【技術分野】
【０００１】
本発明はカードトレイ及び電子機器に関する。
【背景技術】
【０００２】
メモリーカードを携帯電話端末等の電子機器の筐体内に挿入するために、当該メモリーカードを搭載するためのカードトレイが用いられている。特許文献１に記載のように、メモリーカードは、カードトレイのうちの枠状のトレイ本体部に搭載されて、電子機器の筐体内に挿入される。そして、カードトレイを電子機器の筐体内から取り出すには、枠状のトレイ本体部の奥に配置された押し出しレバーにより、枠状のトレイ本体部を取り出し方向に押し出す。これにより、カードトレイ及びメモリーカードが、電子機器の筐体から取り出される。
【先行技術文献】
【特許文献】
【０００３】
【特許文献１】特開２０１６‐２５０１８号公報
【発明の概要】
【発明が解決しようとする課題】
【０００４】
しかしながら、特許文献１に記載のカードトレイは、枠状のトレイ本体部は、全体が樹脂材料により構成されている。このため、枠状のトレイ本体部のうち、押し出しレバーの作用面の合成が弱く、枠状のトレイ本体部が変形しやすいという問題がある。本発明の一態様は、変形し難いカードトレイ及び電子機器を実現することを目的とする。
【課題を解決するための手段】
【０００５】
上記の課題を解決するために、本発明の一態様に係るカードトレイは、電子機器の筐体に挿入するカードを搭載するためのカードトレイであって、前記筐体への挿入時にフランジとなる蓋部と、前記蓋部に接続され、前記カードを嵌める枠状のトレイ本体部とを備え、前記トレイ本体部は、前記蓋部に接続された第１延設部と、当該第１延設部と対向配置された第２延設部とを有し、前記第２延設部のうち、少なくとも、前記第１延設部と対向する内側面とは逆側の外側面は、金属材料により構成されていることを特徴とする。
【発明の効果】
【０００６】
本発明の一態様によれば、変形し難いカードトレイを実現することができる。
【図面の簡単な説明】
【０００７】
【図１】実施形態１に係る、カードカバースロットへ挿入する前に、カードトレイにカードを搭載している様子を表す図である。
【図２】実施形態１に係る、カードトレイが挿入されたカードカバースロットの断面図である。
【図３】実施形態１に係るカードトレイが挿入された電子機器の断面図である。
【図４】実施形態１に係るカードトレイの構成を表す斜視図である。
【図５】実施形態２に係るカードトレイが挿入された電子機器の断面図である。
【図６】実施形態３に係るカードトレイの構成を表す斜視図である。
【図７】実施形態３の変形例１に係るカードトレイの構成を表す斜視図である。
【図８】実施形態３の変形例２に係るカードトレイの構成を表す斜視図である。
【図９】実施形態４に係るカードトレイの構成を表す斜視図である。
【発明を実施するための形態】
【０００８】
〔実施形態１〕
図１は、カードカバースロット３０へ挿入する前に、カードトレイ１にカード２０を搭載している様子を表す図である。カード２０は、電子機器の筐体に挿入したり、当該筐体から取り出したりすることが可能な各種のカードである。カード２０の例としては、各種のメモリーカード、及び、ＳＩＭ（Subscriber Identity Module）カード等を挙げることができる。カード２０は端子を有し、電子機器の筐体に挿入されると、電子機器の筐体内の基板の端子と直接、又は、カードカバースロット３０を介して接触する。これにより、カード２０と、電子機器の筐体内の基板とが導通する。カード２０を筐体に挿入する電子機器としては、携帯電話機、スマートフォン、及びノートＰＣ等の各種の電子機器を挙げることができる。
【０００９】
カードトレイ１は、カード２０を搭載するトレイである。カードトレイ１は、当該搭載したカード２０を、電子機器の筐体内に挿入したり、電子機器の筐体から取り外したりする。カードトレイ１は、蓋部２と、トレイ本体部３とを有する。蓋部２は、電子機器の筐体への挿入時に、フランジとなると共に筐体の蓋となる。蓋部２には、貫通孔２ａが形成されている。トレイ本体部３は、蓋部２に接続されており枠状形状を有する。トレイ本体部３にカード２０を嵌めることでカード２０を搭載する。トレイ本体部３のうち、カード２０の下面との対向面は開口部３ａとなっている。トレイ本体部３は、開口部３ａを枠状に囲む形状である。
【００１０】
カードカバースロット３０は、カード２０が搭載されたカードトレイ１が挿入されたり、挿入されていたカード２０が搭載されたカードトレイ１を排出したりする。カードカバースロット３０は、カード２０を搭載したカードトレイ１を出し入れ可能な箱形である。カードカバースロット３０の材質は、例えば、ステンレス等を挙げることができる。カードカバースロット３０は、カードトレイ１が挿入される前から予め電子機器の筐体内に配置されていてもよいし、カードトレイ１が挿入されてからカードカバースロット３０が電子機器の筐体内に配置されてもよい。
【００１１】
カードカバースロット３０を構成する各面のうち１つの面は、カード２０を搭載したカードトレイ１を挿入可能な挿入口３１となっている。また、カードカバースロット３０は、操作部３５を有する。操作部３５は、カードカバースロット３０に挿入されているカードトレイ１を、カードカバースロット３０から排出するために、ユーザが操作する棒状部材である。なお、以下の説明では、カードカバースロット３０において、挿入口３１が形成されている側を手前側、挿入口３１が形成されている側とは反対側を奥側と称する場合がある。
【００１２】
図２は、実施形態１に係る、カードトレイ１が挿入されたカードカバースロット３０の断面図である。カードカバースロット３０は、操作部３５に加え、排出レバー３６を備えている。排出レバー３６は、カードカバースロット３０内であって、カードカバースロット３０に挿入されたカードトレイ１よりも奥側に位置するように配置されている。排出レバー３６は、軸３７を中心に回転可能にカードカバースロット３０内の底面に配置されている。
【００１３】
操作部３５は、カードカバースロット３０におけるカードトレイ１の出し入れ方向にスライド可能に、カードカバースロット３０内に配置されている。操作部３５は、挿入口３１を通って、カードカバースロット３０の外から内へ、カードカバースロット３０内の片側の側面に寄って延設されている。操作部３５のうち、カードカバースロット３０の外側に位置する一方の端部３５ａ近傍は屈曲部３５ｃであり、カードカバースロット３０の内側に位置する他方の端部３５ｂは、排出レバー３６近傍に位置している。
【００１４】
カード２０を搭載したカードトレイ１が、挿入口３１からカードカバースロット３０内を挿入方向（矢印Ａの方向）へスライドしていくと、蓋部２が、屈曲部３５ｃと接触して押圧することで、操作部３５も挿入方向へスライドする。そして、カードトレイ１がカードカバースロット３０内の所定位置までスライドすると、カードトレイ１及び操作部３５のスライドは停止する。これにより、カードトレイ１のカードカバースロット３０内への所定位置迄の挿入が完了する。このとき、カードカバースロット３０内において、排出レバー３６は、カードトレイ１及び操作部３５よりも奥側に位置しており、排出レバー３６と、操作部３５の他方の端部３５ｂとは離れた状態である。また、蓋部２の貫通孔２ａは操作部３５の屈曲部３５ｃと重なっている。
【００１５】
そして、カードトレイ１をカードカバースロット３０から排出するには、ユーザが、貫通孔２ａを貫通可能な外径を有する排出ピンを、貫通孔２ａを通すことで操作部３５の屈曲部３５ｃを押圧する。これにより、操作部３５は、さらに、挿入方向（矢印Ａの方向）へスライドし、他方の端部３５ｂが排出レバー３６の一方の端部３６ａを押圧する。これにより、排出レバー３６は軸３７を中心に、矢印Ｂに示す方向に回転し、端部３６ａとは逆側の端部である端部３６ｂが、カードトレイ１のトレイ本体部３の奥側の側面を押圧する。これにより、カードトレイ１は、カードカバースロット３０内を排出方向（図２に示す矢印Ａの逆方向）へスライドしていく。この結果、カードトレイ１は、カードカバースロット３０から排出される。
【００１６】
図３は、実施形態１に係るカードトレイ１が挿入された電子機器５０の断面図である。図３では、一例として、電子機器５０の筐体５１内に基板５２が配置されており、基板５２の裏面にカードカバースロット３０が配置されている。そして、筐体５１の側面に設けられた挿入口５１ａから、カード２０を搭載したカードトレイ１が、筐体５１内であってカードカバースロット３０の所定位置まで挿入されている。これにより、カード２０の端子は、直接、又は、カードカバースロット３０を介して、基板５２の端子と接触する。また、蓋部２は、筐体５１の挿入口５１ａ内の側面と接触することでフランジとして機能している。さらに、蓋部２は、挿入口５１ａ内に嵌ることで挿入口５１ａの蓋として機能している。蓋部２は、筐体５１内を密閉状態に保ち、筐体５１内に水の進入を防ぐ機能を有していてもよい。これにより、筐体５１内の防水性を確保することができる。
【００１７】
図４は、実施形態１に係るカードトレイ１の構成を表す斜視図である。トレイ本体部３は、蓋部２に接続された第１延設部１１と、第１延設部１１と対向配置された第２延設部１２と、第１延設部１１及び第２延設部１２それぞれの一方側端部同士を接続する第３延設部１３と、第１延設部１１及び第２延設部１２それぞれの他方側端部同士を接続する第４延設部１４とを有する。第３延設部１３は、第１延設部１１の一方側端部と、当該一方側端部と同じ側にある第２延設部１２の一方側端部とを接続する。第４延設部１４は、第１延設部１１の他方側端部と、当該他方側端部と同じ側にある第２延設部１２の他方側端部とを接続する。
【００１８】
このようにトレイ本体部３は、第１延設部１１及び第２延設部１２に加え、第３延設部１３と、第３延設部１３と対向配置された第４延設部１４とを有する。そして、第１延設部１１、第２延設部１２、第３延設部１３及び第４延設部１４それぞれにおける端部を別の延設部の端部と接続することにより、トレイ本体部３は枠状に構成されている。換言すると、開口部３ａは、第１延設部１１、第２延設部１２、第３延設部１３及び第４延設部１４によって囲まれている。
【００１９】
なお、第１延設部１１のうち、第２延設部１２と対向する面を内側面１１ａ１とし逆側の面を外側面１１ａ２とする。第２延設部１２のうち、第１延設部１１と対向する面を内側面１２ａ１とし逆側の面を外側面１２ａ２とする。第３延設部１３のうち、第４延設部１４と対向する面を内側面１３ａ１とし逆側の面を外側面１３ａ２とする。第４延設部１４のうち、第３延設部１３と対向する面を内側面１４ａ１とし逆側の面を外側面１４ａ２とする。第１延設部１１の外側面１１ａ２は蓋部２が接続されている面である。
【００２０】
ここで、トレイ本体部３においては、第２延設部１２のうち外側面１２ａ２は、カードトレイ１を筐体５１から排出する際に、排出レバー３６により押圧される面である。そこで、本実施形態においては、第２延設部１２のうち、少なくとも外側面１２ａ２は、金属材料により構成されている。このため、第２延設部１２の外側面１２ａ２が樹脂材料により構成されている場合と比べて、第２延設部１２の外側面１２ａ２の剛性を向上させることができる。これにより、カードトレイ１を筐体５１から排出する際に、第２延設部１２の外側面１２ａ２を排出レバー３６により押圧しても、トレイ本体部３が変形してしまうことを防止することができる。この結果、剛性が高く変形がし難いいカードトレイ１を構成することができる。この第２延設部１２の外側面１２ａ２を構成する金属材料としては、例えば、アルミニウム、ステンレス、マグネシウム、チタン等の材料を挙げることができる。
【００２１】
具体的には、図３及び図４に示すように、第２延設部１２は、互いに隣接し、樹脂材料により構成されている樹脂延設部Ｒ２と、金属材料により構成されている金属延設部Ｍ２とを有する。このように、第２延設部１２は金属延設部Ｍ２を有するため、剛性が高いカードトレイ１を構成することができる。
【００２２】
換言すると、第２延設部１２の内側面１２ａ１は、樹脂延設部Ｒ２によって構成されており、第２延設部１２の外側面１２ａ２は、金属延設部Ｍ２によって構成されている。このように、第２延設部１２の内側面１２ａ１は、金属材料よりも弾性が高い樹脂延設部Ｒ２によって構成されている。このため、カードトレイ１を筐体５１に挿入した時に位置バラツキが発生したとしても、トレイ本体部３は当該位置バラツキに対して追従しやすく、筐体５１の防水性を保ちやすい。これにより、筐体５１の防水性を保つことができ、かつ、剛性が高いカードトレイ１を構成することができる。このように、第２延設部１２は、互いに隣接する樹脂延設部Ｒ２と金属延設部Ｍ２とが平行に配置されている。なお、本実施形態においては、樹脂延設部Ｒ２及び金属延設部Ｍ２それぞれの厚みは同じである。
【００２３】
また、図４に示すように、第３延設部１３及び第４延設部１４は、それぞれ、金属材料より弾性が高い樹脂材料により構成されている。このため、筐体５１の防水性を保つことができ、かつ、剛性が高いカードトレイ１を構成することができる。本実施形態では、さらに、第１延設部１１も樹脂材料により構成されている。このため、より、弾性が高く筐体５１の防水性を保つことができる。換言すると、第１延設部１１の内側面１１ａ１及び外側面１１ａ２と、第３延設部１３の内側面１３ａ１及び外側面１３ａ２と、第４延設部１４の内側面１４ａ１及び外側面１４ａ２とはそれぞれ樹脂材料により構成されていると表現することができる。
【００２４】
さらに換言すると、第１延設部１１と、第２延設部１２のうちの内側面１２ａ１を含む樹脂延設部Ｒ２と、第３延設部１３と、第４延設部１４とが枠状に開口部３ａを囲っている。つまり、トレイ本体部３のうち、カード２０と接触する部分は、枠状に、弾性が高い樹脂材料により構成されていると表現することもできる。これにより、筐体５１の防水性を保つことができ、かつ、剛性が高いカードトレイ１を構成することができる。
【００２５】
第１延設部１１と、第２延設部１２のうちの樹脂延設部Ｒ２と、第３延設部１３と、第４延設部１４とは樹脂材料により一体化して形成することができる。さらに、第１延設部１１、第２延設部１２のうちの樹脂延設部Ｒ２、第３延設部１３及び第４延設部１４と、第２延設部１２のうちの金属延設部Ｍ２とを、樹脂材料と金属材料との射出成形によって一体化して形成してもよい。
【００２６】
また、金属延設部Ｍ２と樹脂延設部Ｒ２との密着性を向上させるために、金属延設部Ｍ２の表面（樹脂延設部Ｒ２との接触面）に特殊処理を行ってもよい。さらに、金属延設部Ｍ２と樹脂延設部Ｒ２との密着性を向上させるために、射出成形をする際、金属延設部Ｍ２の一部に穴をあけ、その部分に樹脂材料を流し込むことで、アンカー効果を持たせてもよい。
【００２７】
〔実施形態２〕
本発明の実施形態２について、以下に説明する。なお、説明の便宜上、実施形態１にて説明した部材と同じ機能を有する部材については、同じ符号を付記し、その説明を繰り返さない。図５は、実施形態２に係るカードトレイ１Ａが挿入された電子機器５０の断面図である。カードトレイ１Ａは、カードトレイ１（図４）のうちトレイ本体部３に換えてトレイ本体部３Ａを有する。トレイ本体部３Ａは、トレイ本体部３のうち第２延設部１２に換えて、第２延設部１２Ａを有する。カードトレイ１Ａの他の構成はカードトレイ１と同じである。
【００２８】
カードトレイ１Ａにおいて、第２延設部１２Ａは、内側面１２ａ１は、樹脂延設部Ｒ２Ａ及び金属延設部Ｍ２Ａによって構成されている。第２延設部１２Ａの外側面１２ａ２は、金属延設部Ｍ２Ａによって構成されている。本実施形態では、樹脂延設部Ｒ２Ａの厚みが金属延設部Ｍ２Ａの厚みより薄く、樹脂延設部Ｒ２Ａの２面が金属延設部Ｍ２Ａと接触している。これにより、樹脂延設部Ｒ２Ａと金属延設部Ｍ２Ａとの密着性を向上させることができる。これにより、剛性が高いカードトレイ１Ａを構成することができる。
【００２９】
なお、以下に示す各実施形態においても、第１延設部〜第４延設部において、樹脂延設部と金属延設部とを含んで構成されている場合も同様である。樹脂延設部の厚みを金属延設部の厚みより薄くし、樹脂延設部の２面が金属延設部と接触する構成としてもよい。これにより、樹脂延設部と金属延設部との密着性を向上させることができる。
【００３０】
〔実施形態３〕
本発明の実施形態３について、以下に説明する。なお、説明の便宜上、実施形態１、２にて説明した部材と同じ機能を有する部材については、同じ符号を付記し、その説明を繰り返さない。トレイ本体部において、金属延設部と樹脂延設部とは、さまざまに組み合せてもよい。これにより、トレイ本体部の剛性と柔軟性とのバランスを調整することができる。
【００３１】
図６は実施形態３に係るカードトレイ１Ｂの構成を表す斜視図である。カードトレイ１Ｂは、カードトレイ１（図４）のうちトレイ本体部３に換えてトレイ本体部３Ｂを有する。トレイ本体部３Ｂは、トレイ本体部３のうち第１延設部１１に換えて第１延設部１１Ａを有する。カードトレイ１Ｂの他の構成はカードトレイ１と同じである。
【００３２】
第１延設部１１Ａは、内側面１１ａ１が金属延設部Ｍ１によって構成されており、外側面１１ａ２が樹脂延設部Ｒ２によって構成されている。第１延設部１１Ａは、互いに隣接する樹脂延設部Ｒ１と金属延設部Ｍ１とを含む。樹脂延設部Ｒ１及び金属延設部Ｍ１それぞれの厚みは同じである。このように、トレイ本体部３Ｂにおけるカード２０と接触する各辺のうち、一辺は金属材料により構成されており、他の辺は樹脂材料により構成されていると表現することもできる。これにより、トレイ本体部３Ｂは、トレイ本体部３よりも金属材料の量が多いため、トレイ本体部３よりも剛性を高めることができる。
【００３３】
図７は実施形態３の変形例１に係るカードトレイ１Ｃの構成を表す斜視図である。カードトレイ１Ｃは、カードトレイ１（図４）のうちトレイ本体部３に換えてトレイ本体部３Ｃを有する。トレイ本体部３Ｃは、トレイ本体部３における、第１延設部１１、第２延設部１２、第３延設部１３及び第４延設部１４に換えて、第１延設部１１Ｃ、第２延設部１２Ｃ、第３延設部１３Ｃ及び第４延設部１４Ｃを有する。カードトレイ１Ｃの他の構成はカードトレイ１と同じである。
【００３４】
第１延設部１１Ｃは、樹脂延設部Ｒ１Ｃの両端部が、金属延設部Ｍ１Ｃ３と、金属延設部Ｍ１Ｃ４とに挟まれた構成である。第１延設部１１Ｃの内側面１１ａ１は樹脂延設部Ｒ１Ｃにより構成されている。第１延設部１１Ｃの外側面１１ａ２は樹脂延設部Ｒ１Ｃ、金属延設部Ｍ１Ｃ３・Ｍ１Ｃ４により構成されている。
【００３５】
第２延設部１２Ｃは、樹脂延設部Ｒ２Ｃの外側面及び両端部に、金属延設部Ｍ２Ｃが配置された構成である。第２延設部１２Ｃの内側面１２ａ１は樹脂延設部Ｒ２Ｃにより構成されている。第２延設部１２Ｃの外側面１２ａ２は金属延設部Ｍ２Ｃにより構成されている。
【００３６】
第３延設部１３Ｃは、樹脂延設部Ｒ３の外側面に、金属延設部Ｍ３が配置された構成である。第３延設部１３Ｃの内側面１３ａ１は樹脂延設部Ｒ３により構成されている。第３延設部１３Ｃの外側面１３ａ２は金属延設部Ｍ３により構成されている。第４延設部１４Ｃは、樹脂延設部Ｒ４の外側面に、金属延設部Ｍ４が配置された構成である。第４延設部１４Ｃの内側面１４ａ１は樹脂延設部Ｒ４により構成されている。第４延設部１４Ｃの外側面１４ａ２は金属延設部Ｍ４により構成されている。
【００３７】
換言すると、樹脂延設部Ｒ１Ｃと、樹脂延設部Ｒ２Ｃと、樹脂延設部Ｒ３と、樹脂延設部Ｒ４とが枠状に開口部３ａを囲っている。そして、樹脂延設部Ｒ１Ｃの両端部と、樹脂延設部Ｒ２Ｃの外側面及び両端部と、樹脂延設部Ｒ３及び樹脂延設部Ｒ４それぞれの外側面とを、金属延設部Ｍ１Ｃ３・Ｍ１Ｃ４と、金属延設部Ｍ２Ｃと、金属延設部Ｍ３と、金属延設部Ｍ４とが囲っている。トレイ本体部３Ｃは、トレイ本体部３Ｂ（図６）よりも金属材料の量が多いため、トレイ本体部３Ｂよりも剛性を高めることができる。
【００３８】
樹脂延設部Ｒ１Ｃ、樹脂延設部Ｒ２Ｃ、樹脂延設部Ｒ３及び樹脂延設部Ｒ４は、一体化して形成されている。金属延設部Ｍ１Ｃ３・Ｍ１Ｃ４、金属延設部Ｍ２Ｃ、金属延設部Ｍ３及び金属延設部Ｍ４も一体化して形成されている。さらに、樹脂延設部Ｒ１Ｃ、樹脂延設部Ｒ２Ｃ、樹脂延設部Ｒ３及び樹脂延設部Ｒ４と、金属延設部Ｍ１Ｃ３・Ｍ１Ｃ４、金属延設部Ｍ２Ｃ、金属延設部Ｍ３及び金属延設部Ｍ４とも射出成形等によって一体化して形成してもよい。
【００３９】
図８は実施形態３の変形例２に係るカードトレイ１Ｄの構成を表す斜視図である。カードトレイ１Ｄは、カードトレイ１（図４）のうちトレイ本体部３に換えてトレイ本体部３Ｄを有する。トレイ本体部３Ｄは、トレイ本体部３における、第１延設部１１、第２延設部１２、第３延設部１３及び第４延設部１４に換えて、第１延設部１１Ｄ、第２延設部１２Ｄ、第３延設部１３Ｄ及び第４延設部１４Ｄを有する。カードトレイ１Ｄの他の構成はカードトレイ１と同じである。
【００４０】
第１延設部１１Ｄは、金属延設部Ｍ１Ｄの外側面に樹脂延設部Ｒ１Ｄが配置された構成である。第１延設部１１Ｄの内側面１１ａ１は金属延設部Ｍ１Ｄにより構成されている。第１延設部１１Ｄの外側面１１ａ２は樹脂延設部Ｒ１Ｄにより構成されている。
【００４１】
第２延設部１２Ｄは、全体が金属材料により構成されている。第２延設部１２Ｄの内側面１２ａ１及び外側面１２ａ２は両方とも金属材料により構成されている。第３延設部１３Ｄは、全体が金属材料により構成されている。第３延設部１３Ｄの内側面１３ａ１及び外側面１３ａ２は両方とも金属材料により構成されている。第４延設部１４Ｄは、全体が金属材料により構成されている。第４延設部１４Ｄの内側面１４ａ１及び外側面１４ａ２は両方とも金属材料により構成されている。
【００４２】
このように、トレイ本体部３Ｄのうち、カード２０と接触する部分は、枠状に、金属材料により構成されている。換言すると、第１延設部１１Ｄの金属延設部Ｍ１Ｄと、第２延設部１２Ｄと、第３延設部１３Ｄと、第４延設部１４Ｄとが枠状に開口部３ａを囲っている。このように、トレイ本体部３Ｄは、枠状に金属材料が設けられているため、剛性が高いカードトレイ１Ｄを構成することができる。
【００４３】
また、トレイ本体部３Ｄのうち蓋部２と接続されている面である第１延設部１１Ｄの外側面１１ａ２は樹脂材料により構成されている。このため、カードトレイ１Ｄを筐体５１に挿入した時に位置バラツキが発生したとしても、トレイ本体部３Ｄは当該位置バラツキに対して追従しやすく、筐体５１の防水性を保ちやすい。
【００４４】
カードトレイ１Ｄは、例えば、第１延設部１１Ｄの金属延設部Ｍ１Ｄと、第２延設部１２Ｄと、第３延設部１３Ｄと、第４延設部１４Ｄとを切削加工等によって枠状に一体化して形成した後、当該枠状の金属部材と樹脂材料とを樹脂成形金型内に充填して射出成形する等によって形成することができる。これにより、第１延設部１１Ｄの金属延設部Ｍ１Ｄ、第２延設部１２Ｄ、第３延設部１３Ｄ及び第４延設部１４Ｄと、第１延設部１１Ｄの樹脂延設部Ｒ１Ｄとを一体化して形成することができる。
【００４５】
〔実施形態４〕
本発明の実施形態４について、以下に説明する。なお、説明の便宜上、実施形態１〜３にて説明した部材と同じ機能を有する部材については、同じ符号を付記し、その説明を繰り返さない。図９は実施形態４に係るカードトレイ１Ｅの構成を表す斜視図である。カードトレイ１Ｅは、カードトレイ１（図４）のうちトレイ本体部３に換えてトレイ本体部３Ｅを有する。トレイ本体部３Ｅは、トレイ本体部３のうち第２延設部１２に換えて第２延設部１２Ｅを有する。カードトレイ１Ｅの他の構成はカードトレイ１と同じである。
【００４６】
第２延設部１２Ｅは、樹脂延設部Ｒ２と、金属延設部Ｍ２とが両面テープ１７によって貼り合わされた構成である。このように、樹脂延設部Ｒ２と、金属延設部Ｍ２とを射出成形にて一体化して形成せずに、両面テープ１７又は接着剤によって接着してもよい。
【００４７】
また、図５に示した、樹脂延設部Ｒ２Ａと金属延設部Ｍ２Ａとを両面テープ１７又は接着剤によって接着してもよい。また、図６に示した金属延設部Ｍ１と樹脂延設部Ｒ１とを両面テープ１７又は接着剤によって接着してもよいし、金属延設部Ｍ１と、第３延設部１３及び第４延設部１４とを両面テープ１７又は接着剤によって接着してもよい。また、図７に示した、樹脂延設部Ｒ１Ｃ、樹脂延設部Ｒ２Ｃ、樹脂延設部Ｒ３及び樹脂延設部Ｒ４と、金属延設部Ｍ１Ｃ３・Ｍ１Ｃ４、金属延設部Ｍ２Ｃ、金属延設部Ｍ３及び金属延設部Ｍ４とを両面テープ１７又は接着剤によって接着してもよい。また、図８に示した、第１延設部１１Ｄの金属延設部Ｍ１Ｄ、第２延設部１２Ｄ、第３延設部１３Ｄ及び第４延設部１４Ｄと、第１延設部１１Ｄの樹脂延設部Ｒ１Ｄとを両面テープ１７又は接着剤によって接着してもよい。
【００４８】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【００４９】
１、１Ａ〜１Ｅ  カードトレイ
２  蓋部
２ａ  貫通孔
３、３Ａ〜３Ｅ  トレイ本体部
３ａ  開口部
１１、１１Ａ〜１１Ｄ  第１延設部
１１ａ１〜１４ａ１  内側面
１１ａ２〜１４ａ２  外側面
１２、１２Ａ〜１２Ｅ  第２延設部
１３、１３Ｃ、１３Ｄ  第３延設部
１４、１４Ｃ、１４Ｄ  第４延設部
１７  両面テープ
２０  カード
３０  カードカバースロット
３１、５１ａ  挿入口
３５  操作部
３５ｃ  屈曲部
３６  排出レバー
５０  電子機器
５１  筐体
５２  基板
Ｍ１〜Ｍ４、Ｍ１Ｃ３、Ｍ１Ｃ４、Ｍ１Ｄ、Ｍ２Ａ、Ｍ２Ｃ  金属延設部
Ｒ１〜Ｒ４、Ｒ１Ｃ、Ｒ１Ｄ、Ｒ２Ａ、Ｒ２Ｃ  樹脂延設部
【図１】
2020024848.tif 000003
【図２】
2020024848.tif 000004
【図３】
2020024848.tif 000005
【図４】
2020024848.tif 000006
【図５】
2020024848.tif 000007
【図６】
2020024848.tif 000008
【図７】
2020024848.tif 000009
【図８】
2020024848.tif 000010
【図９】
2020024848.tif 000011